(57)【特許請求の範囲】
【請求項１】
スピーカの軸方向の前後に配置されて互いに反発磁界を形成する一対の第１および第２磁石を備えたスピーカの磁気回路において、
前記反発磁界を形成する前記一対の磁石のうち前記スピーカの軸方向において前方に位置する前記第２磁石を内側に収容するとともに、前端部が前記第２磁石の前端部と前記スピーカの軸方向においてほぼ同じ位置か前記第２磁石の前端部よりも前方に位置するヨーク部分を備え、
前記ヨーク部分の内周部には、当該部分の内径を小さくする方向に張り出す内フランジ部が形成されている
ことを特徴とするスピーカの磁気回路。
【請求項２】
前記スピーカが内磁型スピーカであって、
前記第１磁石と前記第２磁石が互いに極が同じ側が対向して狭持するプレートと、
前記スピーカの軸方向において後方に位置する前記第１磁石に接するヨークとを備え、
前記ヨークは、前記第１磁石の外周面を囲む外周壁を有し、
前記外周壁がさらに前記第２磁石の外周面に沿って前記スピーカの前方に延びて、前記ヨーク部分を構成している
ことを特徴とする請求項１に記載のスピーカの磁気回路。
【請求項３】
前記ヨーク部分が、前記ヨークの外周壁と別体に成形されている
ことを特徴とする請求項２に記載のスピーカの磁気回路。
【請求項４】
前記内フランジ部は、前記ヨークの外周壁の前記プレートと対向する部分において、前記プレートに向かって張り出して前記プレートの外周面との間に磁気ギャップを形成し、
この内フランジ部が前記ヨークの外周壁の他の部分と別体に成形されている
ことを特徴とする請求項２に記載のスピーカの磁気回路。
【請求項５】
前記スピーカが外磁型スピーカであって、
前記スピーカの軸方向において後方に位置する前記第１磁石は、略環状を呈し、
中央部が前記第１磁石の内部に挿入されるとともに、周縁部が前記第１磁石と接するセンタヨークを備え、
前記センタヨークの中央部と前記第２磁石が接し、
前記ヨーク部分が前記第１磁石の前側に取り付けられている
ことを特徴とする請求項１に記載のスピーカの磁気回路。
【請求項６】
前記内フランジ部は、前記ヨーク部分の前記センタヨークと対向する部分において、前記センタヨークに向かって張り出して前記センタヨークの外周面との間に磁気ギャップを形成し、
この内フランジ部が前記ヨーク部分の他の部分と別体に成形されている
ことを特徴とする請求項５に記載のスピーカの磁気回路。
【発明の詳細な説明】
【０００１】
【発明の属する技術分野】
この発明は、スピーカの反発磁気回路の構成に関し、特に、防磁型の反発磁気回路に関する。
【０００２】
【発明が解決しようとする課題】
図１３は、例えば特開平９−２４７７９４号公報や登録実用新案第３０５３９２５号公報等に記載された従来の内磁型スピーカの反発磁気回路の構成を示す側断面図である。
【０００３】
この反発磁気回路は、一対の磁石１Ａと１Ｂがその間にプレート２を挟んだ状態で互いに対向されているとともに、この一対の磁石１Ａと１Ｂのそれぞれ対向する側が同極（Ｎ極）となるように配置されている。
【０００４】
そして、この一対の磁石のうち磁石１Ａとプレート２が、略中空円筒形状のヨーク３内に収容されて、このヨーク３の先端部３Ａの内周面とプレート２の外周面とが対向され、その間に、図示しないボイスコイルボビンが挿入される磁気ギャップｇが形成されている。
【０００５】
この内磁型スピーカの反発磁気回路においては、ヨーク３内に位置する磁石１Ａによって、プレート２から磁気ギャップｇを介してヨーク３の先端部３Ａに至りこのヨーク３内を経由して磁石１Ａの反対側の極（Ｓ極）に帰還する磁束ａが形成され、さらに、ヨーク３の外側に位置する磁石１Ｂによって、プレート２から磁気ギャップｇを介してヨーク３の先端部３Ａに至り空間を経由して磁石１Ｂの反対側の極（Ｓ極）に帰還する磁束ｂが形成される。
【０００６】
また、図１４は、従来の外磁型スピーカの反発磁気回路の構成を示す側断面図であり、この反発磁気回路は、環形状の磁石４内にセンタヨーク５が挿入されて、このセンタヨーク５の外周面と、磁石４の先端側に取り付けられたリング状のプレート７の内周面との間に、磁気ギャップｇ’が形成されている。
【０００７】
そして、センタヨーク５の先端側には、磁石８が、そのセンタヨーク５と接する側の磁極がセンタヨーク５の磁極と同極（Ｎ極）になる向きに取り付けられている。
【０００８】
この外磁型スピーカの反発磁気回路においては、磁石４によって、センタヨーク５から磁気ギャップｇ’を介してプレート７に至り磁石４の反対側の極（Ｓ極）に帰還する磁束ｃが形成され、さらに、磁石８によって、センタヨーク５から磁気ギャップｇ’を介してプレート７に至り空間を経由して磁石８の反対側の極（Ｓ極）に帰還する磁束ｄが形成される。
【０００９】
上記のような従来の内磁型および外磁型スピーカの反発磁気回路は、何れも、スピーカの前側（図１３および１４において上側）に位置して反発磁界の一方を形成する磁石１Ｂまたは８による磁束ｂまたはｄが、それぞれＮ極から空間を経由してＳ極に帰還するために、スピーカ外部への漏洩磁束が多くなり、磁束密度が小さくなるとともに、この漏洩磁束によって、スピーカの周辺に設置される他の電子機器への磁気による影響が大きくなってしまうという問題点を有している。
【００１０】
また、磁石１Ｂ側の磁気効率が低く、磁束密度が小さく、さらに動作点が低いために、高音減磁開始温度が下がってしまうという問題点も有している。
【００１１】
この発明は、上記のような従来のスピーカの反発磁気回路が有している問題点を解決するために為されたものである。
【００１２】
すなわち、この発明は、磁束の漏洩を低減することが出来るとともに、磁気効率を向上させ、磁束密度を大きくし、さらに高音減磁開始温度を上げることが出来るスピーカの反発磁気回路を提供することを目的としている。
【００１３】
【課題を解決するための手段】
第１の発明によるスピーカの磁気回路は、上記目的を達成するために、スピーカの軸方向の前後に配置されて互いに反発磁界を形成する一対の第１および第２磁石を備えたスピーカの磁気回路において、前記反発磁界を形成する前記一対の磁石のうち前記スピーカの軸方向において前方に位置する前記第２磁石を内側に収容するとともに、前端部が前記第２磁石の前端部と前記スピーカの軸方向においてほぼ同じ位置か前記第２磁石の前端部よりも前方に位置するヨーク部分を備え、前記ヨーク部分の内周部には、当該部分の内径を小さくする方向に張り出す内フランジ部が形成されていることを特徴としている。
【００１４】
この第１の発明によるスピーカの磁気回路は、スピーカの軸方向の前側に位置して反発磁界の一方を形成する第２磁石の外周面が、その前端部が第２磁石の前端部と同じかそれよりも前方に突出しているヨーク部分によって囲まれていることにより、この第２磁石によって形成される磁束が、第２磁石の一方の極側からヨーク部分内を経由して他方の極側に帰還する。
【００１５】
従って、上記第１の発明によれば、第２磁石からの磁束の漏洩を、この磁束が空間中を経由して第２磁石に帰還する場合と比べて、大幅に低減させることが出来るとともに、磁気効率を向上させ、磁束密度を大きくし、さらに高音減磁開始温度を上げることが出来るようになる。
【００１６】
第２の発明によるスピーカの磁気回路は、前記目的を達成するために、第１の発明の構成に加えて、前記スピーカが内磁型スピーカであって、前記第１磁石と前記第２磁石が互いに極が同じ側が対向して狭持するプレートと、前記スピーカの軸方向において後方に位置する前記第１磁石に接するヨークとを備え、前記ヨークは、前記第１磁石の外周面を囲む外周壁を有し、前記外周壁がさらに前記第２磁石の外周面に沿って前記スピーカの前方に延びて、前記ヨーク部分を構成していることを特徴としている。
【００１７】
この第２の発明によるスピーカの磁気回路は、スピーカの軸方向の後側に位置する第１磁石によって形成される磁束が、この第１磁石の一方の極側からプレートを介してヨークの外周壁に至り、このヨーク内を経由して第１磁石の反対側の極に帰還する。
【００１８】
そして、スピーカの前側に位置する第２磁石によって形成される磁束が、第２磁石の一方の極側からプレートを介してヨークの外周壁に至り、さらに第２磁石の外周面に沿ってスピーカの前方向に延びるヨーク部分内を経由して他方の極側に帰還する。
【００１９】
従って、上記第２の発明によれば、内磁型スピーカにおいて、第２磁石からの磁束の漏洩を、この磁束が空間中を経由して第２磁石に帰還する場合と比べて、大幅に低減させることが出来るとともに、磁気効率を向上させ、磁束密度を大きくし、さらに高音減磁開始温度を上げることが出来るようになる。
【００２０】
第３の発明によるスピーカの磁気回路は、前記目的を達成するために、第２の発明の構成に加えて、前記ヨーク部分が、前記ヨークの外周壁と別体に成形されていることを特徴としている。
【００２１】
この第３の発明によるスピーカの磁気回路によれば、ヨーク部分をヨークの外周壁とは別体に成形することによって、ヨーク部分およびヨークの成形が容易になるとともに、大きさが異なるヨーク部分を複数用意することによって、スピーカの特性や用途に応じた反発磁気回路を構成することが出来るようになる。
【００２２】
第４の発明によるスピーカの磁気回路は、前記目的を達成するために、第２の発明の構成に加えて、前記内フランジ部は、前記ヨークの外周壁の前記プレートと対向する部分において、前記プレートに向かって張り出して前記プレートの外周面との間に磁気ギャップを形成し、この内フランジ部が前記ヨークの外周壁の他の部分と別体に成形されていることを特徴としている。
【００２３】
この第４の発明によるスピーカの磁気回路によれば、内フランジ部がヨークの外周壁のプレートと対向する部分において、プレートの外周面との間に磁気ギャップを形成しており、この内フランジ部をヨークの外周壁の他の部分と別体に成形することによって、ヨークの成形がさらに容易になる。
【００２９】
第５の発明によるスピーカの磁気回路は、前記目的を達成するために、第１の発明の構成に加えて、前記スピーカが外磁型スピーカであって、前記スピーカの軸方向において後方に位置する前記第１磁石は、略環状を呈し、中央部が前記第１磁石の内部に挿入されるとともに、周縁部が前記第１磁石と接するセンタヨークを備え、前記センタヨークの中央部と前記第２磁石が接し、前記ヨーク部分が前記第１磁石の前側に取り付けられていることを特徴としている。
【００３０】
この第７の発明によるスピーカの磁気回路は、スピーカの軸方向の後ろ側に位置する第１磁石によって形成される磁束が、この第１磁石の一方の極側からセンタヨークおよびヨーク部分内を通過して反対側の極に帰還する。
【００３１】
そして、スピーカの前側に位置する第２磁石によって形成される磁束が、第２磁石の一方の極側からセンタヨークを介してヨーク部分に至り、さらにこの第２磁石の外周面に沿ってスピーカの前方向に延びるヨーク部分内を経由して第２磁石の他方の極側に帰還する。
【００３２】
従って、上記第７の発明によれば、外磁型スピーカの軸方向の前側位置において反発磁界の一方を形成する磁石からの磁束の漏洩を、この磁束が空間中を経由して磁石に帰還する場合と比べて、大幅に低減させることが出来るとともに、磁気効率を向上させ、磁束密度を大きくし、さらに高音減磁開始温度を上げることが出来るようになる。
【００３３】
第６の発明によるスピーカの磁気回路は、前記目的を達成するために、第５の発明の構成に加えて、前記内フランジ部は、前記ヨーク部分の前記センタヨークと対向する部分において、前記センタヨークに向かって張り出して前記センタヨークの外周面との間に磁気ギャップを形成し、この内フランジ部が前記ヨーク部分の他の部分と別体に成形されていることを特徴としている。
【００３４】
この第８の発明によるスピーカの磁気回路によれば、センタヨークとの間で磁気ギャップを形成する内フランジ部がヨーク部分に形成される場合に、この内フランジ部をヨーク部分の他の部分と別体に成形することによって、ヨーク部分の成形が容易になる。
【００４２】
【発明の実施の形態】
以下、この発明の最も好適と思われる実施の形態について、図面を参照しながら詳細に説明を行う。
【００４３】
図１は、この発明によるスピーカの磁気回路の実施形態における第１の例を示す側断面図である。
【００４４】
この図１において、内磁型スピーカの反発磁気回路１０は、一対の磁石１１Ａと１１Ｂがその間にプレート１２を挟んだ状態で互いに対向されているとともに、この一対の磁石１１Ａと１１Ｂのそれぞれ対向する側が同極（Ｎ極）となるように配置されている。
【００４５】
以上の構成については、図１２の従来の内磁型スピーカの反発磁気回路の構成と同様である。
この磁石１１Ａ，１１Ｂおよびプレート１２は、略中空円筒形で先端面（図１において上端面）が開口されたヨーク１３の内側に収容されている。
【００４６】
このヨーク１３の外周壁１３Ａは、その先端部（図１において上端部）１３Ａａが、一対の磁石のうちスピーカの先端側に位置する磁石１１Ｂの先端面と同じかまたはそれよりも前方（図３において上側）に位置する高さ（深さ）を有しており、これによって、磁石１１Ａ，１１Ｂおよびプレート１２の外周面が全て外周壁１３Ａの内壁面に対向されている。
【００４７】
そして、このヨーク１３の外周壁１３Ａのプレート１２と対向する部分には、外周壁１３Ａの内壁面からプレート１２側に向かって張り出す内フランジ部１３Ａｂが形成されていて、この内フランジ部１３Ａｂの内周面とプレート１２の外周面とが所要の間隔を空けて対向されて、その間に磁気ギャップｇ１が形成されている。
【００４８】
図２は、この反発磁気回路１０が取り付けられたスピーカの構造を示す側断面図である。
この図２において、反発磁気回路１０は、ヨーク１３の先端部１３Ａａがケーシング１４に固定されることによって取り付けられる。
【００４９】
そして、反発磁気回路１０の磁気ギャップｇ１内にボイスコイルボビン１６が軸方向に移動自在に挿入され、このボイスコイルボビン１６の外周面にボイスコイル１５が巻回されている。
【００５０】
なお、図２中、１７はボイスコイルボビン１６をケーシング１４に対して振動自在に支持するダンパ，１８はボイスコイルボビン１６の先端部に連結された振動板，１９は振動板１８をケーシング１４に連結するエッジ，２０はボイスコイルボビン１６の先端部に取り付けられたセンタキャップである。
【００５１】
この反発磁気回路１０は、一対の磁石のうちスピーカの後端側（図１および２において下側）に位置する磁石１１Ａによって、図１２の従来の磁気回路と同様に、プレート１２から磁気ギャップｇ１を介してヨーク１３の内フランジ部１３Ａｂに至り、ヨーク１３内を経由して、磁石１１Ａの反対側の極（Ｓ極）に帰還する磁束ａ’が形成される。
【００５２】
そして、一対の磁石のうちスピーカの先端側（図１および２において上側）に位置する他方の磁石１１Ｂによって、プレート１２から磁気ギャップｇ１を介してヨーク１３の内フランジ部１３Ａｂに至り、さらにヨーク１３の先端部１３Ａａ内を経由して磁石１１Ｂの反対側の極（Ｓ極）に帰還する磁束ｂ’が形成される。
【００５３】
従って、上記反発磁気回路においては、磁石１１Ａに対して反発磁界を形成する磁石１１Ｂによる磁束ｂ’の大部分がヨーク１３内を通過するので、空間中を通過することによる磁束の漏洩が従来と比較して大幅に低減される。
【００５４】
図３は、この発明によるスピーカの磁気回路の実施形態における第２の例を示す側断面図である。
この図３において、内磁型スピーカの反発磁気回路２０の磁石１１Ａ，１１Ｂおよびプレート１２の構成については、図１の第１の例と同様であり、同一符号が付されている。
【００５５】
この反発磁気回路２０のヨーク２３は、外周壁２３Ａの内フランジ部２３Ａｂよりも前方（図３において上側）に延びる先端部分２３Ａａが、ヨーク２３の内フランジ部２３Ａｂを含む本体部とは別体に形成されていて、この先端部２３Ａａが、内フランジ部２３Ａｂの先端側の面に固定されることにより、第１の例のヨーク１３と同じ形状を構成するようになっている。
【００５６】
この反発磁気回路２０は、第１の例の反発磁気回路１０と同様に、磁石１１Ａに対して反発磁界を形成する磁石１１Ｂによる磁束ｂ’の大部分がヨーク２３内を通過して反対側の極（Ｓ極）に帰還するので、空間中を通過する際の磁束の漏洩が従来と比較して大幅に低減されるとともに、磁気効率を向上させ、磁束密度を大きくし、さらに高音減磁開始温度を上げることが出来るようになる。
【００５７】
さらに、この反発磁気回路２０は、ヨーク２３の先端部分２３Ａａが本体部とは別体になっていることによって、ヨーク２３の成形が容易になるとともに、先端部分２３Ａａを交換することによって、磁石１１Ｂの外周面と対向するヨーク２３の外周壁部分の長さを任意に設定することが出来るので、軸方向や径方向の幅が異なる数種類の先端部２３Ａａを用意しておくことによって、スピーカの特性や用途に応じた反発磁気回路を構成することが出来るようになる。
【００５８】
図４は、この発明によるスピーカの磁気回路の実施形態における第３の例を示す側断面図である。
この図４において、内磁型スピーカの反発磁気回路３０の磁石１１Ａ，１１Ｂおよびプレート１２の構成については、図１の第１の例と同様であり、同一符号が付されている。
【００５９】
この反発磁気回路３０のヨーク３３は、外周壁３３Ａの先端側を構成する内フランジ部３３Ａｂと、この内フランジ部３３Ａｂよりも前方（図４において上側）に延びる先端部分３３Ａａのそれぞれがヨーク３３の本体部とは別体に形成されていて、この内フランジ部３３Ａｂと先端部分３３Ａａが、ヨーク３３の本体部の外壁部分の先端面に順次積み重なるように固定されることによって、第１の例のヨーク１３と同じ形状を構成するようになっている。
【００６０】
この反発磁気回路３０は、第１の例の反発磁気回路１０と同様に、磁石１１Ａに対して反発磁界を形成する磁石１１Ｂによる磁束ｂ’の大部分がヨーク３３内を通過して反対側の極（Ｓ極）に帰還するので、空間中を通過する際の磁束の漏洩が従来と比較して大幅に低減されるとともに、磁気効率を向上させ、磁束密度を大きくし、さらに高音減磁開始温度を上げることが出来るようになる。
【００６１】
さらに、この反発磁気回路３０は、ヨーク３３の先端部分３３Ａａおよび内フランジ部３３Ａｂがそれぞれ本体部とは別体になっていることによって、ヨーク３３の成形が容易になるとともに、先端部分３３Ａａを交換することによって、磁石１１Ｂの外周面と対向するヨーク３３の外周壁部分の長さを任意に設定することが出来、さらに、内フランジ部３３Ａｂを交換することによって磁気ギャップｇ１の幅を任意に設定することが出来るので、それぞれ軸方向や径方向の幅が異なる数種類の先端部３３Ａａと内フランジ部３３Ａｂを用意しておくことによって、スピーカの特性や用途に応じた反発磁気回路を構成することが出来るようになる。
【００６２】
図５は、この発明によるスピーカの磁気回路の実施形態における第４の例を示す側断面図である。
この図５において、内磁型スピーカの反発磁気回路４０の磁石１１Ａ，１１Ｂおよびプレート１２の構成については、図１の第１の例と同様であり、同一符号が付されている。
【００６３】
そして、この反発磁気回路４０のヨーク４３には、外周壁４３Ａの先端部４３Ａａの内壁面に、磁石１１Ｂの外周面に向かって延びる第２内フランジ部４３Ａｃが一体的に形成されている。
【００６４】
このヨーク４３の他の部分の形状は、第１の例のヨーク１３と同様であり、外周壁４３Ａのプレート１２と対向する部分に第１内フランジ部４３Ａｂが一体的に形成されていて、プレート１２との間に磁気ギャップｇ１が形成されている。
【００６５】
この反発磁気回路４０においては、反発磁界を形成する磁束のうち、スピーカの先端側（図５において上側）に位置する磁石１１Ｂによって形成される磁束ｂ”が、プレート１２から磁気ギャップｇ１を介してヨーク４３の第１内フランジ部４３Ａｂに至り、さらにヨーク４３の外周壁４３Ａの先端部４３Ａａ内を経由して、第２内フランジ部４３Ａｃから磁石１１Ｂの反対側の極（Ｓ極）に帰還する。
【００６６】
このように、上記反発磁気回路４０によれば、スピーカの先端側に位置する磁石１１Ｂによって形成される磁束ｂ”の空間を通過する距離が、第１の例の場合よりもさらに短くなるので、スピーカ外部に漏洩する磁束が従来と比較してさらに大幅に低減されるとともに、磁気効率を向上させ、磁束密度を大きくし、さらに高音減磁開始温度を上げることが出来るようになる。
【００６７】
図６は、この発明によるスピーカの磁気回路の実施形態における第５の例を示す側断面図である。
この図６において、内磁型スピーカの反発磁気回路５０の磁石１１Ａ，１１Ｂおよびプレート１２の構成については、図５の第４の例と同様であり、同一符号が付されている。
【００６８】
この反発磁気回路５０のヨーク５３は、外周壁５３Ａの第１内フランジ部５３Ａｂよりも前方（図６において上側）に延びる先端部分５３Ａａとこの先端部分５３Ａａよりもさらに先端側に位置する第２内フランジ部５３Ａｃが、それぞれヨーク５３の第１内フランジ部５３Ａｂを含む本体部とは別体に形成されていて、この先端部分５３Ａａおよび第２内フランジ部５３Ａｃが、第１内フランジ部５３Ａｂの先端側の面に順次積み重なるように固定されることによって、第４の例のヨーク４３と同じ形状を構成するようになっている。
【００６９】
この反発磁気回路５０は、第４の例の反発磁気回路４０と同様に、磁石１１Ａに対して反発磁界を形成する磁石１１Ｂによる磁束ｂ”の大部分がヨーク５３内を通過して反対側の極（Ｓ極）に帰還するので、空間中を通過する際の磁束の漏洩が従来と比較してさらに大幅に低減されるとともに、磁気効率を向上させ、磁束密度を大きくし、さらに高音減磁開始温度を上げることが出来るようになる。
【００７０】
さらに、この反発磁気回路５０は、ヨーク５３の先端部分５３Ａａおよび第２内フランジ部５３Ａｃがそれぞれ本体部とは別体になっていることによって、ヨーク５３の成形が容易になるとともに、先端部分５３Ａａを交換することによって、磁石１１Ｂの外周面と対向するヨーク５３の外周壁部分の長さを任意に設定することが出来、さらに、第２内フランジ部５３Ａｃを交換することによって磁石１１Ｂとの距離を任意に設定することが出来るので、それぞれ軸方向や径方向の幅が異なる数種類の先端部分５３Ａａと第２内フランジ部５３Ａｃを用意しておくことによって、スピーカの特性や用途に応じた反発磁気回路を構成することが出来るようになる。
【００７１】
図７は、この発明によるスピーカの磁気回路の実施形態における第６の例を示す側断面図である。
この図７において、内磁型スピーカの反発磁気回路６０の磁石１１Ａ，１１Ｂおよびプレート１２の構成については、図５の第４の例と同様であり、同一符号が付されている。
【００７２】
この反発磁気回路６０のヨーク６３は、外周壁６３Ａの先端側を構成する第１内フランジ部６３Ａｂと、この第１内フランジ部６３Ａｂよりも前方（図７において上側）に延びる先端部分６３Ａａと、この先端部分６３Ａａよりも先端側に位置する第２内フランジ部６３Ａｃのそれぞれがヨーク６３の本体部とは別体に形成されていて、この第１内フランジ部６３Ａｂと先端部分６３Ａａ，第２内フランジ部６３Ａｃが、ヨーク６３の本体部の外壁部分の先端面に順次積み重なるように固定されることによって、第４の例のヨーク４３と同じ形状を構成するようになっている。
【００７３】
この反発磁気回路６０は、第４の例の反発磁気回路４０と同様に、磁石１１Ａに対して反発磁界を形成する磁石１１Ｂによる磁束ｂ”の大部分がヨーク６３内を通過して反対側の極（Ｓ極）に帰還するので、空間中を通過する際の磁束の漏洩が従来と比較してさらに大幅に低減される。
【００７４】
さらに、この反発磁気回路６０は、ヨーク６３の先端部分６３Ａａおよび第１内フランジ部６３Ａｂ，第２内フランジ部６３Ａｃがそれぞれ本体部とは別体になっていることによって、ヨーク６３の成形が容易になるに、先端部分６３Ａａを交換することによって、磁石１１Ｂの外周面と対向するヨーク６３の外周壁部分の長さを任意に設定することが出来、さらに、第２内フランジ部６３Ａｃを交換することによって磁石１１Ｂとの距離を任意に設定することが出来、そして、第１内フランジ部６３Ａｂを交換することによって磁気ギャップｇ１の幅を任意に設定することが出来るので、それぞれ軸方向や径方向の幅が異なる数種類の先端部分６３Ａａと第１内フランジ部６３Ａｂ，第２内フランジ部６３Ａｃを用意しておくことによって、スピーカの特性や用途に応じた反発磁気回路を構成することが出来るようになる。
【００７５】
図８は、この発明によるスピーカの磁気回路の実施形態における第７の例を示す側断面図である。
この図８において、外磁型スピーカの反発磁気回路７０は、環形状の磁石７４内にセンタヨーク７５が挿入されて、このセンタヨーク７５の先端面に磁石７７が、そのセンタヨーク７５と接する側の磁極がセンタヨーク７５の磁極と同極（Ｎ極）になる向きに取り付けられている。
【００７６】
磁石７４の先端面には、磁石７７の幅と同じかそれよりも大きい軸方向の幅を有するリング状の外ヨーク７８が取り付けられていて、この外ヨーク７８の内側に、プレート７６と磁石７７が完全に収容されている。
【００７７】
そして、この外ヨーク７８の内周面のセンタヨーク７５の先端外周面と対向する部分には、内フランジ部７８ａが形成されていて、その内周面とセンタヨーク７５の外周面との間に、磁気ギャップｇ２が形成されている。
【００７８】
この外磁型スピーカの反発磁気回路７０においては、環形状の磁石７４によって、センタヨーク７５から磁気ギャップｇ２を介して内フランジ部７８ａに至り、外ヨーク７８内を経由して磁石７４の反対側の極（Ｓ極）に帰還する磁束ｃ’が形成され、さらに、磁石７７によって、センタヨーク７５から磁気ギャップｇ２を介して内フランジ部７８ａに至り、外ヨーク７８内を経由して磁石７７の反対側の極（Ｓ極）に帰還する磁束ｄ’が形成される。
【００７９】
従って、上記の反発磁気回路７０においては、磁石７４に対して反発磁界を形成する磁石７７による磁束ｄ’の大部分が外ヨーク７８内を通過するので、空間中を通過することによる磁束の漏洩が従来と比較して大幅に低減されるとともに、磁気効率を向上させ、磁束密度を大きくし、さらに高音減磁開始温度を上げることが出来るようになる。
【００８０】
図９は、この発明によるスピーカの磁気回路の実施形態における第８の例を示す側断面図である。
この図９において、外磁型スピーカの反発磁気回路８０は、磁石７４およびセンタヨーク７５，磁石７７の構成については、上記第７の例の反発磁気回路７０と同様であるが、磁石７４の先端側（図９の上側）に取り付けられた外ヨーク８８が、センタヨーク７５に対向して磁気ギャップｇ２を形成する内フランジ部８８Ａと磁石７７の外側を囲う先端部８８Ｂの互いに別体に成形された二つの部分によって、第７の例の外ヨーク７８と同一の外形を有するように構成されている。
【００８１】
この第８の例の反発磁気回路８０も、第７の例の場合と同様に、磁石７７によって、センタヨーク７５から磁気ギャップｇ２を介して外ヨーク８８の内フランジ部８８Ａに至り、先端部８８Ｂを経由して磁石７７の反対側の極（Ｓ極）に帰還する磁束ｄ’が形成される。
【００８２】
従って、上記の反発磁気回路８０においても、磁石７４に対して反発磁界を形成する磁石７７による磁束ｄ’の大部分が外ヨーク８８内を通過するので、空間中を通過することによる磁束の漏洩が従来と比較して大幅に低減されるとともに、磁気効率を向上させ、磁束密度を大きくし、さらに高音減磁開始温度を上げることが出来るようになる。
【００８３】
さらに、この反発磁気回路８０は、外ヨーク８８を構成する内フランジ部８８Ａと先端部８８Ｂが別体になっているので、この外ヨーク８８の成形が容易になるとともに、内フランジ部８８Ａを交換することによって磁気ギャップｇ２の幅を任意に設定することが出来、さらに、先端部８８Ｂを交換することによって、磁石７７の外周面と対向するヨーク８８の外周壁部分の長さを任意に設定することが出来るので、それぞれ軸方向や径方向の幅が異なる数種類の内フランジ部８８Ａと先端部８８Ｂを用意しておくことによって、スピーカの特性や用途に応じた反発磁気回路を構成することが出来るようになる。
【００８４】
図１０は、この発明によるスピーカの磁気回路の実施形態における第９の例を示す側断面図である。
【００８５】
この図１０において、外磁型スピーカの反発磁気回路９０は、磁石７４およびセンタヨーク７５，磁石７７の構成については、前述した第７の例の反発磁気回路７０と同様であるが、磁石７４の先端側（図１０の上側）に取り付けられた外ヨーク９８が、センタヨーク７５と対向する部分にプレート７６との間に磁気ギャップｇ２を形成する第１内フランジ部９８ａが形成され、さらに、磁石７７の先端部外周面に対向する部分に、磁石７７側に張り出すように第２内フランジ部９９ｂが形成されている。
【００８６】
そして、この外ヨーク９８の先端面（図１０において上側の面）は、磁石７７の先端面とほぼ同じ位置かそれよりも前側（図１０において上側）に位置するように、外ヨーク９８の軸方向の幅が設定されている。
【００８７】
この外磁型スピーカの反発磁気回路９０においては、磁石７７によって、センタヨーク７５から磁気ギャップｇ２を介して外ヨーク９８の第１内フランジ部９８ａに至り外ヨーク９８内を経由して磁石７７の反対側の極（Ｓ極）に帰還する磁束ｄ”が形成され、この磁束ｄ”の外ヨーク９８から磁石７７のＳ極側に渡る際の空間距離が、第７の例の反発磁気回路７０よりも短くなるので、この磁束ｄ”のスピーカ外部への漏洩がさらに大幅に低減されるとともに、磁気効率を向上させ、磁束密度を大きくし、さらに高音減磁開始温度を上げることが出来るようになる。
【００８８】
図１１は、この発明によるスピーカの磁気回路の実施形態における第１０の例を示す側断面図である。
【００８９】
この図１１において、外磁型スピーカの反発磁気回路１００は、磁石７４およびセンタヨーク７５，磁石７７の構成については、上記第９の例の反発磁気回路７０と同様であるが、磁石７４の先端側（図１１の上側）に取り付けられた外ヨーク１０８が、センタヨーク７５に対向して磁気ギャップｇ２を形成する第１内フランジ部１０８Ｂと、磁石７７の外側を囲う先端部１０８Ａと、磁石７７の先端側外周面に対向する第２内フランジ部１０８Ｃの互いに別体に成形された三つの部分によって、第９の例の外ヨーク９８と同一の外形を有するように構成されている。
【００９０】
この第１０の例の反発磁気回路１００も、第９の例の場合と同様に、磁石７７によって、センタヨーク７５から磁気ギャップｇ２を介して外ヨーク１０８の第１内フランジ部１０８Ｂに至り、先端部１０８Ａを経由して、第２内フランジ部１０８Ｃから磁石７７の反対側の極（Ｓ極）に帰還する磁束ｄ”が形成される。
【００９１】
従って、上記の反発磁気回路１００においても、磁石７４に対して反発磁界を形成する磁石７７による磁束ｄ”の大部分が外ヨーク８８内を通過するので、空間中を通過することによる磁束の漏洩が従来と比較して大幅に低減されるとともに、磁気効率を向上させ、磁束密度を大きくし、さらに高音減磁開始温度を上げることが出来るようになる。
【００９２】
さらに、この反発磁気回路１００は、外ヨーク１０８を構成する第１内フランジ部１０８Ｂと先端部１０８Ａ，第２内フランジ部１０８Ｃが別体になっているので、この外ヨーク１０８の成形が容易になるとともに、第１内フランジ部１０８Ｂを交換することによって磁気ギャップｇ２の幅を任意に設定することが出来、先端部分１０８Ａを交換することによって、磁石７７の外周面と対向するヨーク１０８の外周壁部分の長さを任意に設定することが出来、さらに、第２内フランジ部１０８Ｃを交換することによって磁石７７との距離を任意に設定することが出来るので、それぞれ軸方向や径方向の幅が異なる数種類の第１内フランジ部１０８Ｂと先端部分１０８Ａと第２内フランジ部１０８Ｃを用意しておくことによって、スピーカの特性や用途に応じた反発磁気回路を構成することが出来るようになる。
【００９３】
なお、図８の例において、磁石７７をセンタヨーク７５上に直接取り付ける代わりに、図１２に示されるように、磁石７７とセンタヨーク７５の間にプレート７６を介装して、このプレート７６の外周面と内フランジ部７８ａとの間に磁気ギャップｇ２を形成するようにしても良い。
【００９４】
この場合には、先ず磁石７７とプレート７６を接合させた状態で、これをセンタヨーク７５に接合させる。
【００９５】
このように構成することによって、磁石７７をセンタヨーク７５に直接取り付ける場合と比べて、磁気回路効率（パーミアンス係数）が向上され、磁束密度をさらに大きくすることが出来、これにともなって、高音減磁開始温度をさらに上昇させることが出来るようになる。
【００９６】
なお、上記図９ないし１１の例においても、同様に、磁石７７とセンタヨーク７５との間にプレート７６を介装させることによって、同様の効果を得ることが出来る。
【図面の簡単な説明】
【図１】この発明の実施形態の第１の例を示す側断面図である。
【図２】同例における磁気回路が取り付けられたスピーカの構成を示す側断面図である。
【図３】この発明の実施形態の第２の例を示す側断面図である。
【図４】この発明の実施形態の第３の例を示す側断面図である。
【図５】この発明の実施形態の第４の例を示す側断面図である。
【図６】この発明の実施形態の第５の例を示す側断面図である。
【図７】この発明の実施形態の第６の例を示す側断面図である。
【図８】この発明の実施形態の第７の例を示す側断面図である。
【図９】この発明の実施形態の第８の例を示す側断面図である。
【図１０】この発明の実施形態の第９の例を示す側断面図である。
【図１１】この発明の実施形態の第１０の例を示す側断面図である。
【図１２】この発明の実施形態のさらに他の例を示す側断面図である。
【図１３】従来例を示す側断面図である。
【図１４】他の従来例を示す側断面図である。
【符号の説明】
１０，２０，３０，４０，５０，６０，７０，８０，９０，１００…反発磁気回路
１１Ａ                                      …磁石（第１磁石）
１１Ｂ                                      …磁石（第２磁石）
１２                                        …プレート
１３，２３，３３，４３，５３，６３          …ヨーク
１３Ａ，２３Ａ，３３Ａ，４３Ａ，５３Ａ，６３Ａ…外周壁
１３Ａａ，２３Ａａ，３３Ａａ，４３Ａａ，５３Ａａ，６３Ａａ…先端部（ヨーク部分）
１３Ａｂ，２３Ａｂ，３３Ａｂ，４３Ａｂ，５３Ａｂ，６３Ａｂ…内フランジ部
４３Ａｃ，５３Ａｃ，６３Ａｃ                …内フランジ部
７４                                        …磁石（第１磁石）
７５                                        …センタヨーク
７６                                        …プレート
７７                                        …磁石（第２磁石）
７８，８８，９８，１０８                    …外ヨーク（ヨーク部分）
７８ａ，９８ａ                              …内フランジ部
８８Ａ，１０８Ｂ                            …内フランジ部
８８Ｂ，１０８Ａ                            …先端部
９９ｂ，１０８Ｃ                            …内フランジ部
ｇ１，ｇ２                                  …磁気ギャップ
ａ’，ｂ’，ｂ”，ｃ’，ｄ’，ｄ”          …磁束
【図１】
0004187939.tif 000002
【図２】
0004187939.tif 000003
【図３】
0004187939.tif 000004
【図４】
0004187939.tif 000005
【図５】
0004187939.tif 000006
【図６】
0004187939.tif 000007
【図７】
0004187939.tif 000008
【図８】
0004187939.tif 000009
【図９】
0004187939.tif 000010
【図１０】
0004187939.tif 000011
【図１１】
0004187939.tif 000012
【図１２】
0004187939.tif 000013
【図１３】
0004187939.tif 000014
【図１４】
0004187939.tif 000015